(57)【要約】【課題】機能のヘルプ画面を通じて機能設定を受付けることができる電子機器及び画像形成装置の提供。【解決手段】複数の機能を有する電子機器において、複数の機能から一の機能の選択を受付ける選択部と、各機能の説明情報を記憶してある記憶部にアクセスし、選択部にて選択された機能についての説明情報を記憶部から取得する取得部と、取得部が取得した説明情報を含む機能の説明画面を表示する表示部と、表示部に表示した説明画面を通じて、機能に係る設定を受付ける受付部とを備える。【選択図】図５
2016148924.tif 000002
【特許請求の範囲】
【請求項１】
複数の機能を有する電子機器において、
前記複数の機能から一の機能の選択を受付ける選択部と、
各機能の説明情報を記憶してある記憶部にアクセスし、前記選択部にて選択された機能についての説明情報を前記記憶部から取得する取得部と、
該取得部が取得した説明情報を含む前記機能の説明画面を表示する表示部と、
該表示部に表示した説明画面を通じて、前記機能に係る設定を受付ける受付部と
を備えることを特徴とする電子機器。
【請求項２】
前記記憶部を内蔵してあることを特徴とする請求項１に記載の電子機器。
【請求項３】
前記記憶部を備える外部機器を通信可能に接続する接続部
を備え、
前記取得部は、前記接続部に接続された前記外部機器との通信により、該外部機器が備える記憶部から前記機能についての説明情報を取得するようにしてあることを特徴とする請求項１に記載の電子機器。
【請求項４】
自機及び自機と通信可能に接続された外部機器の夫々が前記記憶部を備えており、
前記取得部は、自機が備える記憶部にアクセスして前記機能についての説明情報が得られなかった場合、前記外部機器が備える記憶部にアクセスし、該記憶部から前記説明情報を取得するようにしてあることを特徴とする請求項１に記載の電子機器。
【請求項５】
前記説明画面は、前記設定を受付けるためのユーザインタフェース部品を含み、
前記受付部は、前記表示部に表示される説明画面内のユーザインタフェース部品を通じて、前記設定を受付けるようにしてあることを特徴とする請求項１から請求項４の何れか１つに記載の電子機器。
【請求項６】
前記説明画面は、前記設定を受付けるための設定画面へ遷移させるリンクを含み、
前記受付部は、前記リンクにより指定される遷移先の設定画面にて、前記設定を受付けるようにしてあることを特徴とする請求項１から請求項４の何れか１つに記載の電子機器。
【請求項７】
前記説明画面を通じて受付けるべき設定と関連する設定項目を前記説明画面に表示するようにしてあり、
前記受付部は、前記機能に係る設定と共に、前記説明画面に表示した設定項目についての設定を受付けるようにしてあることを特徴とする請求項１から請求項６に記載の電子機器。
【請求項８】
前記受付部にて受付けた設定を反映させて前記機能を実行するようにしてあることを特徴とする請求項１から請求項７の何れか１つに記載の電子機器。
【請求項９】
請求項１から請求項８の何れか１つに記載の電子機器と、
画像データの入力を受付ける画像入力部と、
該画像入力部が受付けた画像データに画像処理を施す画像処理部と、
該画像処理部が画像処理を施した画像データに基づいてシート上に画像形成を行う画像形成部と
を備え、
前記画像処理又は前記画像形成に係る機能の設定を、前記電子機器が表示する説明画面を通じて受付けるようにしてあることを特徴とする画像形成装置。
【発明の詳細な説明】
【技術分野】
【０００１】
本発明は、ヘルプ画面を通じて機能設定を行える電子機器及び画像形成装置に関する。
【背景技術】
【０００２】
近年、デジタル複合機を始めとする様々な電子機器が高機能化している。このような電子機器では、各機能を制御するために用いられる調整値がメモリなどの記憶部に記憶されている。電子機器において、実行すべき機能が選択された場合には、記憶部から実行対象の機能について設定されている調整値を読み出し、読み出した調整値を反映させた上で各機能を実行するようにしている。
【先行技術文献】
【特許文献】
【０００３】
【特許文献１】特開２００６−１４６７８１号公報
【発明の概要】
【発明が解決しようとする課題】
【０００４】
上述した電子機器の記憶部に記憶された調整値は、必要に応じてユーザの操作により変更される場合がある。
【０００５】
しかしながら、高機能化した電子機器においては、各機能に対する調整値の設定を受付けるために複雑な操作メニュー又は多数の操作ボタンを用意する必要があり、各機能を種別毎にカテゴライズしたとしても、設定変更を受付ける操作画面に到達するまでの操作手順は煩雑になる傾向がある。
【０００６】
また、各機能に対する設定変更は頻繁に発生するとは限らないため、各機能の設定変更を行った経験があるユーザであっても、継続して使用していなければ操作を忘れてしまうという問題点を有している。
【０００７】
本発明は、斯かる事情に鑑みてなされたものであり、機能のヘルプ画面を通じて機能設定を受付けることにより、簡易な操作で各機能に対する設定変更を行うことができる電子機器及び画像形成装置を提供することを目的とする。
【課題を解決するための手段】
【０００８】
本願の電子機器は、複数の機能を有する電子機器において、前記複数の機能から一の機能の選択を受付ける選択部と、各機能の説明情報を記憶してある記憶部にアクセスし、前記選択部にて選択された機能についての説明情報を前記記憶部から取得する取得部と、該取得部が取得した説明情報を含む前記機能の説明画面を表示する表示部と、該表示部に表示した説明画面を通じて、前記機能に係る設定を受付ける受付部とを備えることを特徴とする。
【発明の効果】
【０００９】
本願によれば、選択された機能の説明画面を通じて、当該機能に係る設定を受付けることにより、簡易な操作で各機能への設定変更を行うことができる。
【図面の簡単な説明】
【００１０】
【図１】実施の形態１に係るデジタル複合機の内部構成を説明するブロック図である。
【図２】デジタル複合機の表示部に表示される機能検索画面の一例を示す模式図である。
【図３】実施の形態１に係るヘルプ画面の一例を示す模式図である。
【図４】実施の形態１に係る設定画面の一例を示す模式図である。
【図５】実施の形態１に係るデジタル複合機が実行する処理の手順を説明するフローチャートである。
【図６】実施の形態２に係るヘルプ画面の一例を示す模式図である。
【図７】実施の形態２に係るデジタル複合機が実行する処理の手順を説明するフローチャートである。
【図８】実施の形態３に係るヘルプ画面の一例を示す模式図である。
【図９】関連項目のヘルプ画面の一例を示す模式図である。
【図１０】実施の形態３に係るデジタル複合機が実行する処理の手順を説明するフローチャートである。
【図１１】実施の形態４に係る設定画面の一例を示す模式図である。
【図１２】実施の形態４に係る設定画面の一例を示す模式図である。
【図１３】デジタル複合機の表示部に表示されるウェブ検索画面の一例を示す模式図である。
【図１４】検索結果の画面例を示す模式図である。
【図１５】実施の形態５に係るデジタル複合機が実行する処理の手順を説明するフローチャートである。
【図１６】実施の形態６に係る携帯電話機の内部構成を説明するブロック図である。
【発明を実施するための形態】
【００１１】
以下、本発明に係る電子機器をデジタル複合機に適用した形態について、図面を用いて具体的に説明する。
（実施の形態１）
図１は実施の形態１に係るデジタル複合機１０の内部構成を説明するブロック図である。本実施の形態に係るデジタル複合機１０は、制御部１１、記憶部１２、原稿読取部１３、画像処理部１４、画像形成部１５、後処理部１６、操作部１７、表示部１８、通信部１９等を備え、原稿画像をコピーするコピー機能、外部から受信したプリントジョブに基づき印刷処理を行うプリント機能、原稿画像の画像データを取得するスキャナ機能などの機能を有する。また、デジタル複合機１０は、コピー機能、プリント機能、スキャナ機能等の基本機能の他、印刷後の用紙（シート）に後処理を施す後処理機能、印字位置を調整する印字位置調整機能、印字濃度を調整する濃度調整機能、印字倍率を調整する拡大縮小機能、１枚の用紙上に複数ページ分の画像を割り付ける集約機能等の各種機能を有する。
【００１２】
制御部１１は、ＣＰＵ、ＲＯＭ、ＲＡＭ等（不図示）を備える。制御部１１内のＲＯＭには、デジタル複合機１０が備えるハードウェア各部の動作を制御するための制御プログラムが予め格納されている。制御部１１は、ＲＯＭに格納されている制御プログラムをＣＰＵにて実行することにより、デジタル複合機１０が備えるハードウェア各部の動作を制御し、装置全体として本発明に係る電子機器として機能させるように構成されている。
【００１３】
記憶部１２は、メモリ、ハードディスクなどの不揮発性の記憶媒体を備えており、上述した各種機能に対する調整値等を含んだ設定情報、各機能の説明を記述した説明情報、原稿読取部１３を通じて取得した画像データ、通信部１９を通じて受信したプリントジョブ等を記憶する。
【００１４】
原稿読取部１３は、原稿の画像を光学的に読み取り、画像信号を出力する。原稿読取部１３は、原稿に対して光を照射する光源、ＣＣＤ（Charge Coupled Device）のようなイメージセンサ等（不図示）を備えており、原稿からの反射光像をイメージセンサに結像させることにより、ＲＧＢ（R : Red, G : Green, B : Blue）のアナログ電気信号を出力する。
【００１５】
画像処理部１４は、原稿読取部１３を通じて入力されるアナログ電気信号を基にデジタル形式の画像データを生成し、生成した画像データに対して、各種の設定に応じた画像処理を施す。画像処理部１４は、選択された機能に応じて、処理後の画像データを記憶部１２、画像形成部１５等の出力先へ送出する。例えば、コピー機能又はプリント機能が選択されている場合、画像処理部１４は、処理後の画像データを画像形成部１５へ送出し、用紙上への印刷を実行させる。また、スキャナ機能が選択されている場合、処理後の画像データを記憶部１２へ送出し、記憶部１２に記憶させる処理を行う。
【００１６】
画像形成部１５は、入力された画像データに基づいて、用紙、ＯＨＰフィルム等のシート上に画像形成を行う。画像形成部１５は、感光体ドラムを所定の電位に帯電させる帯電器、入力された画像データに応じてレーザ光を発して感光体ドラム上に静電潜像を生成させるレーザ書込装置、感光体ドラム表面の静電潜像にトナーを供給して顕像化する現像器、感光体ドラム表面のトナー像を用紙上に転写する転写器等（不図示）を備えており、電子写真方式にてユーザが所望する画像を用紙上に形成する。なお、レーザ書込装置を用いた電子写真方式により画像形成を行う他、インクジェット方式、熱転写方式、昇華方式等により画像形成を行う構成であってもよい。
【００１７】
後処理部１６は、例えば、ステープルユニット、パンチユニット（図示せず）等を有しており、画像形成部１５によって印刷された用紙に対して、適宜箇所にステープル処理又は綴じ孔を開ける処理を施す等のいわゆる後処理を行う。
【００１８】
操作部１７は、各種キー及びタッチパネルを備えており、ユーザによる操作を受付ける。また、表示部１８は、液晶ディスプレイ、有機ＥＬディスプレイ等を含み、ユーザに対して報知すべき情報、画像等を表示す。
なお、操作部１７が備えるタッチパネルは表示部１８上に設けられる。表示部１８が表示する画面内にユーザインタフェース部品（以下、ＧＵＩ部品という）が配置されている場合、タッチパネルは、ＧＵＩ部品と共にソフトウェアボタン、ソフトウェアキー等を構成し、ユーザの指によるタッチ操作を受付けるように構成されている。
【００１９】
通信部１９は、ローカルエリアネットワーク、インターネット網などの通信網Ｎを介して外部装置を通信可能に接続する。デジタル複合機１０に通信可能に接続される外部装置は、デジタル複合機１０を外部から利用するパーソナルコンピュータ等の端末装置、ローカルエリアネットワーク内に設けられたサーバ装置、インターネット網に接続されたサーバ装置等である。なお、図１に示した例では、ＨＤＤ等の記憶部２１を備えたサーバ装置２０が通信網Ｎを介してデジタル複合機１０に接続された状態を示している。
【００２０】
本実施の形態に係るデジタル複合機１０は、自機が備える各機能の説明情報をヘルプ画面として表示部１８に表示し、表示したヘルプ画面を通じて各機能を制御するための設定を受付けることを特徴の１つとしている。
【００２１】
以下、デジタル複合機１０の動作を説明する。
図２はデジタル複合機１０の表示部１８に表示される機能検索画面の一例を示す模式図である。デジタル複合機１０は、機能検索画面を呼び出すために予め定められた操作を操作部１７にて受付けた場合、図２に示すような機能検索画面１００を表示部１８に表示させる。
【００２２】
機能検索画面１００は、例えば、機能を検索するためのキーワードを入力するキーワード入力欄１０１、検索処理を開始させる検索開始ボタン１０２、特定の機能に対応したヘルプ画面を表示させるリンク１０３ａ〜１０３ｄ、終了ボタン１０４等のＧＵＩ部品を備える。デジタル複合機１０は、操作部１７が備える各種キー又はタッチパネルを用いて、機能検索画面１００に配置されたＧＵＩ部品に対する操作を受付けることにより、キーワードの入力、機能の検索要求、及び機能の選択を行えるように構成されている。
【００２３】
キーワード入力欄１０１には、操作部１７が備える各種キー又はタッチパネルを用いて入力されたキーワードが表示される。
【００２４】
検索開始ボタン１０２は、ソフトウェアボタンとして機能検索画面１００に配置され、ユーザによる押下操作（タッチ操作）を受付ける。キーワード入力欄１０１にキーワードが入力された状態にて、検索開始ボタン１０２の押下操作を受付けた場合、制御部１１は、入力されたキーワードに基づき、該当する機能を記憶部１２から検索する。
【００２５】
リンク１０３ａ〜１０３ｄは、後述するヘルプ画面を呼び出すためのリンクである。図２に示した例では、リンク１０３ａ〜１０３ｄは、それぞれコピー機能、プリント機能、後処理機能、濃度調整機能に対応するヘルプ画面を呼び出すためのリンクを表している。リンク１０３ａ〜１０３ｄの何れか１つがユーザにより選択操作（タッチ操作）された場合、制御部１１は、対応する機能のヘルプ画面を呼び出し、表示部１８における画面の表示を機能検索画面１００からヘルプ画面に遷移させる。
【００２６】
終了ボタン１０４は、ソフトウェアボタンとして機能検索画面１００に配置され、ユーザによる押下操作を受付ける。終了ボタン１０４の押下操作を受付けた場合、制御部１１は、機能検索を終了させる。
【００２７】
なお、図３に示した例では、コピー機能、プリント機能、後処理機能、及び濃度調整機能に対応したヘルプ画面へ遷移させるためのリンク１０３ａ〜１０３ｄを機能検索画面１００に配置する構成としたが、機能検索画面１００に配置するヘルプ画面へのリンクは図３に示したものに限定されるものではない。上記以外の機能（例えば、スキャナ機能、印字位置調整機能、集約機能等）に対応したヘルプ画面へのリンクが含まれていてもよい。また、本実施の形態では、リンク１０３ａ〜１０３ｄによりヘルプ画面を呼び出す構成としたが、各リンク１０３ａ〜１０３ｄにより他の機能のヘルプ画面へのリンクを呼び出す構成であってもよく、階層的なリンク構造により、より詳細な機能、または、関連する機能のヘルプ画面を階層的に表示できるようにしてもよい。
【００２８】
図３は実施の形態１に係るヘルプ画面の一例を示す模式図である。図３に示す例は、コピー機能のうち印字位置調整機能についてのヘルプ画面１１０を示したものである。上述した機能検索画面１００において、印字位置調整機能が検索された場合、又は印字位置調整機能に対応するヘルプ画面１１０へのリンク（不図示）が選択操作された場合、制御部１１は、記憶部１２から読み出した印字位置調整機能の説明情報を含むヘルプ画面１１０を表示部１８に表示させる。
【００２９】
印字位置調整機能のヘルプ画面１１０は、印字位置調整機能についての説明情報を表示する表示欄１１１を備える。図３に示した例では、印字位置調整機能の説明として「コピー機能における印字位置は制御設定Ａにより調整できる」こと、及び「（制御設定Ａの）値を大きくすることで印字位置を用紙先頭側へ移動し、値を小さくすることで印字位置を用紙後端側へ移動する」ことが表示欄１１１に表示されている。
【００３０】
本実施の形態では、同じヘルプ画面１１０内に、印字位置調整機能の設定画面１２０（図４を参照）へ遷移させるためのリンク１１２、及び機能検索画面１００へ戻すためのキャンセルボタン１１５が配置される。これらのリンク１１２及びキャンセルボタン１１５はＧＵＩ部品により構成されている。デジタル複合機１０は、操作部１７が備える各種キー及びタッチパネルを用いて、ヘルプ画面１１０に配置されたＧＵＩ部品に対する操作を受付ける。例えば、リンク１１２がユーザにより選択操作された場合、制御部１１は、表示部１８に表示させる画面を印字位置調整機能の設定画面１２０に遷移させる処理を行う。また、キャンセルボタン１１５が押下操作された場合、制御部１１は、表示部１８に表示させる画面をヘルプ画面１１０から機能検索画面１００へ遷移させる処理を行う。
【００３１】
なお、図３に示した例では、印字位置調整機能のヘルプ画面１１０を示したが、他の機能についてのヘルプ画面についても同様であり、対象機能の説明情報を表示する表示欄、対象機能の設定画面へ遷移させるためのリンク等を備える。
【００３２】
図４は実施の形態１に係る設定画面の一例を示す模式図である。図４に示す例は、印字位置調整機能についての設定画面１２０を示したものである。上述した印字位置調整機能のヘルプ画面１１０にてリンク１１２が選択操作された場合、制御部１１は、図４に示すような設定画面１２０を表示部１８に表示させることにより、表示部１８における画面表示をヘルプ画面１１０から設定画面１２０に遷移させる。
【００３３】
設定画面１２０は、現在の印字位置の調整値を表示する表示欄１２１、調整値を１ずつ増減させるインクリメントボタン１２２ａ及びデクリメントボタン１２２ｂ、設定ボタン１２３、並びにキャンセルボタン１２４等のＧＵＩ部品を備える。デジタル複合機１０は、操作部１７が備える各種キー及びタッチパネルを用いて、設定画面１２０に配置されたＧＵＩ部品に対する操作を受付けることにより、印字位置調整機能を制御するための設定を行えるように構成されている。
【００３４】
制御部１１は、印字位置調整機能の設定画面１２０を表示部１８に表示させる際、現在の印字位置に係る調整値を記憶部１２から読み出し、読み出した調整値を表示欄１２１に表示させる。調整値は、インクリメントボタン１２２ａ及びデクリメントボタン１２２ｂが押下操作されることにより、予め定めた設定範囲内で増減する。インクリメントボタン１２２ａ又はデクリメントボタン１２２ｂの押下操作により調整値が変化した場合、制御部１１は、変化後の調整値を表示欄１２１に表示させる。
【００３５】
設定ボタン１２３が押下操作された場合、調整値は確定する。制御部１１は、確定した調整値を印字位置の新たな調整値として記憶部１２に記憶させることにより、印字位置の設定変更を行う。また、キャンセルボタン１２４が押下操作された場合、制御部１１は、調整値を確定させることなく、表示部１８における画面表示を設定画面１２０から前述のヘルプ画面１１０に戻す処理を行う。
【００３６】
なお、図４に示した例では、設定画面の一例として、印字位置調整機能の設定画面１２０を示したが、他の機能についての設定画面についても同様であり、対象機能を制御するために設定されている現在の調整値を表示する表示欄、調整値を変更するための操作ボタン、変更後の調整値を確定させるための設定ボタン等を備える。
【００３７】
図５は実施の形態１に係るデジタル複合機１０が実行する処理の手順を説明するフローチャートである。デジタル複合機１０の操作部１７にて、機能検索画面１００を呼び出すための所定の操作を受付けた場合、制御部１１は、表示部１８に機能検索画面１００を表示させる（ステップＳ１０１）。
【００３８】
次いで、制御部１１は、機能検索画面１００から機能の検索要求を受付けたか否かを判断する（ステップＳ１０２）。機能を検索するための検索キーワードが機能検索画面１００のキーワード入力欄１０１に入力され、検索開始ボタン１０２が押下操作された場合、制御部１１は、機能の検索要求を受付けたと判断する。
【００３９】
検索要求を受付けたと判断した場合（Ｓ１０２：ＹＥＳ）、制御部１１は、検索対象の機能及び当該機能の説明情報を記憶部１２から検索し（ステップＳ１０３）、検索対象の機能及び当該機能の説明情報が存在する否かを判断する（ステップＳ１０４）。検索対象の機能及び当該機能の説明情報が存在しない場合（Ｓ１０４：ＮＯ）、制御部１１は、処理をステップＳ１０２へ戻す。
【００４０】
また、ステップＳ１０２で検索要求を受付けていないと判断した場合（Ｓ１０２：ＮＯ）、制御部１１は、操作部１７を通じて、機能検索画面に配置されているリンク１０３ａ〜１０３ｄの何れかに対する選択操作を受付けたか否かを判断する（ステップＳ１０５）。リンク１０３ａ〜１０３ｄへの選択操作を受付けていない場合（Ｓ１０５：ＮＯ）、制御部１１は、後述するステップＳ１１２へ処理を移行させる。
【００４１】
ステップＳ１０４で検索対象の機能及び当該機能の説明情報が存在すると判断した場合（Ｓ１０４：ＹＥＳ）、又はステップＳ１０５でリンク１０３ａ〜１０３ｄへの選択操作を受付けたと判断した場合（Ｓ１０５：ＹＥＳ）、制御部１１は、検索又は選択された機能についての説明情報を記憶部１２から読み出し、読み出した説明情報を含むヘルプ画面を表示部１８に表示させる（ステップＳ１０６）。例えば、印字位置調整機能が検索又は選択された場合、制御部１１は、図３に示すようなヘルプ画面１１０を表示部１８に表示させる。
【００４２】
次いで、制御部１１は、表示部１８における画面表示を設定画面に遷移させるか否かを判断する（ステップＳ１０７）。制御部１１は、操作部１７を通じて、ヘルプ画面内に配置されている設定画面へのリンクに対する選択操作を受付けた場合、表示部１８における画面表示を設定画面に遷移させると判断する。
【００４３】
表示部１８における画面表示を設定画面に遷移させると判断した場合（Ｓ１０７：ＹＥＳ）、制御部１１は、検索又は選択された機能に対する設定画面を表示部１８に表示させ（ステップＳ１０８）、表示部１８における画面表示をヘルプ画面から設定画面に遷移させる。例えば、印字位置調整機能のヘルプ画面１１０からリンク１１２が選択操作された場合、制御部１１は、図４に示すような設定画面１２０を表示部１８に表示させることにより、ヘルプ画面１１０から設定画面１２０へ遷移させる。また、ヘルプ画面においてキャンセルボタンが押下操作され、設定画面への遷移を行わなかった場合（Ｓ１０７：ＮＯ）、制御部１１は、後述のステップＳ１１２へ処理を移行させる。
【００４４】
次いで、制御部１１は、表示中の設定画面にて設定操作を受付け（ステップＳ１０９）、設定対象の機能を制御するための調整値が確定したか否かを判断する（ステップＳ１１０）。例えば、設定画面において、設定対象の機能に係る調整値を確定させるための設定ボタン（図４の例では設定ボタン１２３）が押下操作された場合、制御部１１は、設定対象の機能に対する調整値が確定したと判断する。
【００４５】
調整値が確定したと判断した場合（Ｓ１１０：ＹＥＳ）、制御部１１は、確定した調整値を現在の調整値として記憶部１２に記憶させることにより、検索又は選択された機能に対する設定変更を行う（ステップＳ１１１）。また、設定画面においてキャンセルボタンが押下操作され、調整値が確定しなかった場合（Ｓ１１０：ＮＯ）、制御部１１は、ステップＳ１０６へ処理を戻す。
【００４６】
検索又は選択された機能に対する設定変更を行った後、制御部１１は、機能検索画面１００を表示部１８に表示させる。次いで、制御部１１は、機能検索を終了するか否かを判断する（ステップＳ１１２）。機能検索画面１００において終了ボタン１０４が押下操作された場合、制御部１１は、機能検索を終了すると判断し（Ｓ１１２：ＹＥＳ）、本フローチャートによる処理を終了する。また、機能検索を終了しない場合（Ｓ１１２：ＮＯ）、制御部１１は、処理をステップＳ１０２へ戻す。
【００４７】
以上のように、実施の形態１では、各機能のヘルプ画面を通じて当該機能を制御するための設定を行うことができるので、各機能に対するヘルプ画面の表示から調整値の設定までを一連の操作により実行することができ、操作に不慣れな者であっても、機能のヘルプ画面を確認しながら、適切な設定を行うことが可能となる。
【００４８】
（実施の形態２）
実施の形態１では、デジタル複合機１０の各機能に対して用意されたヘルプ画面から設定画面へ遷移させる構成について説明したが、各機能のヘルプ画面内で当該機能に対する設定を行えるようにしてもよい。
実施の形態２では、各機能のヘルプ画面内で当該機能に対する設定を受付ける構成について説明する。なお、デジタル複合機１０の内部構成については、実施の形態１と同様であるため、その説明を省略する。
【００４９】
図６は実施の形態２に係るヘルプ画面の一例を示す模式図である。図６に示す例は、デジタル複合機１０が備えるコピー機能のうち、印字位置調整機能についてのヘルプ画面１３０を示したものである。機能検索画面１００（図２を参照）において、印字位置調整機能が検索された場合、又は印字位置調整機能に対応するヘルプ画面１３０へのリンク（不図示）が選択操作された場合、制御部１１は、記憶部１２から読み出した印字位置調整機能の説明情報を含むヘルプ画面１３０を表示部１８に表示させる。
【００５０】
実施の形態２に係るヘルプ画面１３０は、印字位置調整機能についての説明情報を表示する表示欄１３１を備え、更に、当該機能に対する設定を受付けるために、現在の印字位置の調整値を表示する表示欄１３２、調整値を１ずつ増減させるインクリメントボタン１３３ａ及びデクリメントボタン１３３ｂ、設定ボタン１３４、並びにキャンセルボタン１３５等のＧＵＩ部品を備える。実施の形態２では、操作部１７が備える各種キー及びタッチパネルを用いて、ヘルプ画面１３０に配置されたＧＵＩ部品に対する操作を受付けることにより、印字位置調整機能を制御するための設定を行えるように構成されている。
【００５１】
デジタル複合機１０の制御部１１は、印字位置調整機能のヘルプ画面１３０を表示部１８に表示させる際、現在の印字位置に係る調整値を記憶部１２から読み出し、読み出した調整値を表示欄１３２に表示させる。調整値は、インクリメントボタン１３３ａ及びデクリメントボタン１３３ｂが押下操作されることにより、予め定めた設定範囲内で増減する。インクリメントボタン１３３ａ又はデクリメントボタン１３３ｂの押下操作により調整値が変化した場合、制御部１１は、変化後の調整値を表示欄１２１に表示させる。
【００５２】
設定ボタン１３４が押下操作された場合、調整値は確定し、制御部１１は確定した調整値を印字位置の新たな調整値として記憶部１２に記憶させることにより、印字位置の設定変更を行う。また、キャンセルボタン１３５が押下操作された場合、制御部１１は、調整値を確定させることなく、表示部１８に表示させる画面をヘルプ画面１３０から機能検索画面１００に戻す処理を行う。
【００５３】
なお、図６に示した例ではヘルプ画面の一例として、印字位置調整機能のヘルプ画面１３０を示したが、他の機能についてのヘルプ画面についても同様であり、対象機能の説明情報を表示する表示欄、対象機能を制御するために設定されている現在の調整値を表示する表示欄、調整値を変更するための操作ボタン、変更後の調整値を確定させるための設定ボタン等を備える。
【００５４】
図７は実施の形態２に係るデジタル複合機１０が実行する処理の手順を説明するフローチャートである。デジタル複合機１０の操作部１７にて、機能検索画面１００を呼び出すための所定の操作を受付けた場合、制御部１１は、表示部１８に機能検索画面１００を表示させる（ステップＳ２０１）。
【００５５】
次いで、制御部１１は、実施の形態１と同様の処理を実行し（Ｓ２０２〜Ｓ２０５）、機能が検索又は選択された場合、当該機能のヘルプ画面を表示部１８に表示させる（ステップＳ２０６）。例えば、印字位置調整機能が検索又は選択された場合、制御部１１は、図６に示すようなヘルプ画面１３０を表示部１８に表示させる。
【００５６】
制御部１１は、表示中のヘルプ画面にて設定操作を受付け（ステップＳ２０７）、検索又は選択された機能に対する調整値が確定したか否かを判断する（ステップＳ２０８）。例えば、ヘルプ画面において、調整値を確定させるための設定ボタン（図６の例では設定ボタン１３４）が押下操作された場合、制御部１１は、調整値が確定したと判断する。
【００５７】
調整値が確定したと判断した場合（Ｓ２０８：ＹＥＳ）、制御部１１は、確定した調整値を現在の調整値として記憶部１２に記憶させることにより、検索又は選択された機能に対する設定変更を行う（ステップＳ２０９）。また、ヘルプ画面においてキャンセルボタンが押下操作され、調整値が確定しなかった場合（Ｓ２０８：ＮＯ）、制御部１１は、ステップＳ２０１へ処理を戻す。
【００５８】
検索又は選択された機能に対する設定変更を行った後、制御部１１は、機能検索画面１００を表示部１８に表示させる。次いで、制御部１１は、機能検索を終了するか否かを判断する（ステップＳ２１０）。機能検索画面１００において終了ボタン１０４が押下操作された場合、制御部１１は、機能検索を終了すると判断し（Ｓ２１０：ＹＥＳ）、本フローチャートによる処理を終了する。また、機能検索を終了しない場合（Ｓ２１０：ＮＯ）、制御部１１は、処理をステップＳ２０２へ戻す。
【００５９】
以上のように、実施の形態２では、各機能のヘルプ画面から当該機能を制御するための調整値の設定を行えるので、ヘルプ画面を閲覧した後にヘルプ画面を閉じて、新たに設定対象の機能を設定する設定画面を開く操作等が不要となり、操作に不慣れなユーザであっても、各機能に対する設定を容易に実施することが可能となる。
【００６０】
（実施の形態３）
実施の形態３では、ある機能について設定すべき項目に対し、関連して設定すべき項目が存在する場合、一連の操作で両項目についての設定を行えるようにした構成について説明を行う。
なお、デジタル複合機１０の内部構成については、実施の形態１と同様であるため、その説明を省略する。
【００６１】
図８は実施の形態３に係るヘルプ画面の一例を示す模式図である。図８に示す例は、デジタル複合機１０が備えるコピー機能のうち、印字位置調整機能（特に制御設定Ａ）についてのヘルプ画面１４０を示したものである。機能検索画面１００（図２を参照）において、印字位置調整機能が検索された場合、又は印字位置調整機能に対応するヘルプ画面１４０へのリンク（不図示）が選択操作された場合、制御部１１は、記憶部１２から読み出した印字位置調整機能の説明情報を含むヘルプ画面１４０を表示部１８に表示させる。
【００６２】
実施の形態３に係るヘルプ画面１４０は、印字位置調整機能についての説明情報を表示する表示欄１４１を備え、更に、当該機能に対する設定を受付けるために、現在の印字位置の調整値を表示する表示欄１４２、調整値を１ずつ増減させるインクリメントボタン１４３ａ及びデクリメントボタン１４３ｂ、設定ボタン１４４、キャンセルボタン１４６、終了ボタン１４７等のＧＵＩ部品を備える。
【００６３】
また、実施の形態３では、設定対象の機能に対する設定項目と関連する設定項目（以下、関連項目ともいう）が存在する場合、ヘルプ画面内に、関連項目についてのヘルプ画面に切り替えるためのソフトウェアボタン（ＧＵＩ部品）を配置する。例えば、印字位置調整機能の設定項目（制御設定Ａ）に対して関連項目（制御設定Ｂ）が存在する場合、制御設定Ａのヘルプ画面１４０には、制御設定Ｂのヘルプ画面１５０（図９を参照）に切り替えるための切替ボタン１４５が配置される。
【００６４】
図９は関連項目のヘルプ画面の一例を示す模式図である。例えば、前述のヘルプ画面１４０において、切替ボタン１４５が押下操作された場合、制御部１１は、図９に示すような関連項目（制御設定Ｂ）についてのヘルプ画面１５０を表示部１８に表示させる。
【００６５】
関連項目（制御設定Ｂ）のヘルプ画面１５０は、印字位置調整機能（特に制御設定Ｂ）についての説明情報を表示する表示欄１５１を備え、更に、当該機能に対する設定を受付けるために、現在の印字位置の調整値を表示する表示欄１５２、調整値を１ずつ増減させるインクリメントボタン１５３ａ及びデクリメントボタン１５３ｂ、設定ボタン１５４、キャンセルボタン１５６、終了ボタン１５７等のＧＵＩ部品を備える。
【００６６】
また、制御設定Ｂに対する関連項目として、制御設定Ａが存在するため、ヘルプ画面１５０内には、制御設定Ａのヘルプ画面１４０（図８を参照）に切り替えるための切替ボタン１５５が配置される。
【００６７】
以下、上述した制御設定Ａのヘルプ画面１４０からから制御設定Ｂのヘルプ画面１５０に切り替える際のデジタル複合機１０の動作について説明する。
図１０は実施の形態３に係るデジタル複合機１０が実行する処理の手順を説明するフローチャートである。前述した機能検索画面１００から制御設定Ａに関するヘルプ画面１４０が呼び出された場合、制御部１１は、表示部１８に制御設定Ａのヘルプ画面１４０を表示させ（ステップＳ３０１）、制御設定Ａの調整値を変更するための設定操作を受付ける（ステップＳ３０２）。
【００６８】
次いで、制御部１１は、制御設定Ａに対する調整値が確定したか否かを判断する（ステップＳ３０３）。例えば、ヘルプ画面１４０において、制御設定Ａの調整値を確定させる設定ボタン１４４が押下操作された場合、制御部１１は、制御設定Ａに対する調整値が確定したと判断する。
【００６９】
調整値が確定したと判断した場合（Ｓ３０３：ＹＥＳ）、制御部１１は、確定した調整値を制御設定Ａの現在の調整値として記憶部１２に記憶させることにより、制御設定Ａに対する設定変更を行う（ステップＳ３０４）。
【００７０】
制御設定Ａに対する設定変更を行った場合、又はステップＳ３０３で調整値が確定していない場合（Ｓ３０３：ＮＯ）、制御部１１は、制御設定Ｂの設定変更を行う否かを判断する（ステップＳ３０５）。例えば、ヘルプ画面１４０において、切替ボタン１４５が押下操作された場合、制御部１１は、制御設定Ｂの設定変更を行うと判断する。
【００７１】
制御設定Ｂの設定変更を行うと判断した場合（Ｓ３０５：ＹＥＳ）、制御部１１は、表示部１８に制御設定Ｂのヘルプ画面１５０を表示させ（ステップＳ３０６）、制御設定Ｂの調整値を変更するための設定操作を受付ける（ステップＳ３０７）。なお、ステップＳ３０５で制御設定Ｂの設定変更を行わないと判断した場合（Ｓ３０５：ＮＯ）、制御部１１は、処理をステップＳ３１０へ移行させる。
【００７２】
制御部１１は、制御設定Ｂに対する調整値が確定したか否かを判断する（ステップＳ３０８）。例えば、ヘルプ画面１５０において、制御設定Ｂの調整値を確定させる設定ボタン１５４が押下操作された場合、制御部１１は、制御設定Ｂに対する調整値が確定したと判断する。
【００７３】
調整値が確定したと判断した場合（Ｓ３０８：ＹＥＳ）、制御部１１は、確定した調整値を制御設定Ｂの現在の調整値として記憶部１２に記憶させることにより、制御設定Ｂに対する設定変更を行う（ステップＳ３０９）。
【００７４】
ステップＳ３０５で制御設定Ｂの設定変更を行わないと判断した場合（Ｓ３０５：ＮＯ）、ステップＳ３０９で設定変更を行った場合、又はステップＳ３０８で制御設定Ｂの調整値が確定していない場合（Ｓ３０８：ＮＯ）、制御部１１は、設定を終了するか否かを判断する（ステップＳ３１０）。ヘルプ画面１４０（１５０）にて終了ボタン１４７（１５７）が押下操作された場合、制御部１１は、設定を終了すると判断することができる。
【００７５】
設定を終了すると判断した場合（Ｓ３１０：ＹＥＳ）、制御部１１は、本フローチャートによる処理を終了する。設定を終了せずに（Ｓ３１０：ＮＯ）、ヘルプ画面１４０（１５０）にてキャンセルボタン１４７（１５７）が押下操作された場合、制御部１１は、表示部１８に機能検索画面１００を表示させ（ステップＳ３１１）、本フローチャートによる処理を終了する。
【００７６】
以上のように、実施の形態３では、ある機能について設定すべき項目と関連する項目が存在する場合、一連の操作で両項目についての設定を行えるので、関連する複数の項目をユーザ自身が探し出す必要がなくなり、操作に不慣れなユーザであっても、各項目に対する設定を容易に実施することが可能となる。
【００７７】
（実施の形態４）
実施の形態４では、設定画面内に、ある機能についての設定操作を受付けるためのＧＵＩ部品を配置すると共に、設定を反映させた出力例を同じ画面内に表示する構成について説明を行う。
【００７８】
図１１及び図１２は実施の形態４に係る設定画面の一例を示す模式図である。図１１及び図１２に示す例は、デジタル複合機１０が備える各種機能のうち、印字位置調整機能についての設定画面１６０を示したものである。実施の形態４では、印字位置調整機能のヘルプ画面１１０（図３を参照）にてリンク１１２が選択操作された場合、制御部１１は、図１１に示すような設定画面１２０を表示部１８に表示させる。
【００７９】
設定画面１６０は、印字位置調整機能に対する設定を受付けるために、現在の印字位置の調整値を表示する表示欄１６１、調整値を１ずつ増減させるインクリメントボタン１６２ａ及びデクリメントボタン１６２ｂ、設定ボタン１６３、並びにキャンセルボタン１６４等のＧＵＩ部品を備える。また、制御部１１は、現在の設定（調整値）を反映させた出力例１６５を設定画面１６０内に表示させる。
【００８０】
前述したように、印字位置調整機能（制御設定Ａ）は、「（制御設定Ａの）値を大きくすることで印字位置を用紙先頭側へ移動し、値を小さくすることで印字位置を用紙後端側へ移動する」機能として定義されている。このため、制御部１１は、現在の調整値が「０」の場合（設定範囲内で値が小さい場合）には、印字位置が用紙後端側に移動した出力例１６５（図１１を参照）を設定画面１６０内に表示させ、現在の調整値が「４５」の場合（設定範囲内で値が大きい場合）には、印字位置が用紙先頭側へ移動した出力例１６５（図１２を参照）を設定画面１６０内に表示させる。
【００８１】
以上のように、実施の形態４では、機能の調整値を設定する設定画面内に、調整値を反映させた出力例を表示する構成としているので、ユーザは出力例を確認しながら調整値の変更を行えるので、操作に不慣れな者であっても適切な設定操作を行うことができる。
【００８２】
（実施の形態５）
実施の形態１〜４では、デジタル複合機１０内の記憶部１２から機能に対する説明情報を取得する構成としたが、通信網Ｎを介して通信可能に接続されているサーバ装置２０内の記憶部２１に各機能の説明情報を記憶させておき、通信網Ｎ経由でサーバ装置２０にアクセスして説明情報を取得する構成としてもよい。
実施の形態５では、デジタル複合機１０からサーバ装置２０にアクセスし、デジタル複合機１０の機能検索及び設定を行う構成について説明を行う。
【００８３】
図１３はデジタル複合機１０の表示部１８に表示されるウェブ検索画面の一例を示す模式図である。デジタル複合機１０は、ウェブ検索画面を呼び出すために予め定められた操作を操作部１７にて受付けた場合、通信網Ｎを介して接続されたサーバ装置２０にアクセスし、サーバ装置２０から例えばＨＴＭＬで記述された検索画面情報を受信することにより、図１３に示すようなウェブ検索画面１７０を表示部１８に表示させる。
【００８４】
ウェブ検索画面１７０は、前述の機能検索画面１００と同様に、機能を検索するためのキーワードを入力するキーワード入力欄１７１、検索処理を開始させる検索開始ボタン１７２、特定の機能に対応したヘルプ画面を表示させるリンク１７３ａ〜１７３ｄ、終了ボタン１７４等のユーザインタフェース部品（ＧＵＩ部品）を備える。デジタル複合機１０は、操作部１７が備える各種キー及びタッチパネルを用いて、ウェブ検索画面１７０に配置されたＧＵＩ部品に対する操作を受付けることにより、キーワードの入力、機能の検索要求、及び機能の選択を行えるように構成されている。
【００８５】
図１４は検索結果の画面例を示す模式図である。前述のウェブ検索画面１７０のキーワード入力欄１７１に「コピー」及び「位置」の２語が入力され、検索開始ボタン１７２が押下操作された場合、デジタル複合機１０は、「コピー」及び「位置」の２語をキーワードとして含む検索要求をサーバ装置２０へ送信する。サーバ装置２０は、検索要求を受信した場合、検索対象のキーワードを含む説明情報を自装置の記憶部２１から検索し、例えばＨＴＭＬにより記述された検索結果画面情報をデジタル複合機１０へ返信する。デジタル複合機１０は、サーバ装置２０から受信した検索結果画面情報を基に図１４に示すような検索結果画面１８０を表示部１８に表示させる。
【００８６】
検索結果画面１８０は、例えば、印字位置調整機能を説明するヘルプ画面へ遷移させるためのリンク１８１ａ、コピー中のジャム位置に関するヘルプ画面へ遷移させるためのリンク１８１ｂ、及び検索結果画面１８０を閉じるための終了ボタン１８２等のＧＵＩ部品を備える。
【００８７】
この検索結果画面１８０において、リンク１８１ａが選択操作された場合、デジタル複合機１０は、サーバ装置２０にアクセスし、サーバ装置２０から例えばＨＴＭＬで記述された設定画面情報を受信することにより、印字位置調整機能に関するヘルプ画面を表示部１８に表示させる。リンク１８１ｂが選択操作された場合についても同様である。また、終了ボタン１８２が押下操作された場合、制御部１１は、検索結果画面１８０を閉じ、ウェブ検索画面１７０を表示部１８に表示させる。
【００８８】
図１５は実施の形態５に係るデジタル複合機１０が実行する処理の手順を説明するフローチャートである。デジタル複合機１０の制御部１１は、ウェブ検索を実行するか否かを判断する（ステップＳ５０１）。操作部１７にて、ウェブ検索画面１７０を呼び出すための所定の操作を受付けた場合、制御部１１は、ウェブ検索を実行すると判断し（Ｓ５０１：ＹＥＳ）、表示部１８にウェブ検索画面１７０を表示させる。ウェブ検索を実行しない場合には（Ｓ５０１：ＮＯ）、制御部１１は、本フローチャートによる処理を終了する。
【００８９】
ウェブ検索画面１７０のキーワード入力欄１７１にキーワードが入力され、検索開始ボタン１７２が押下操作された場合、制御部１１は、入力されたキーワードを含む検索要求をサーバ装置２０へ送信する（ステップＳ５０２）。
【００９０】
次いで、制御部１１は、サーバ装置２０から送信される検索結果画面情報（検索結果）を通信部１９にて受信したか否かを判断する（ステップＳ５０３）。検索結果を受信していない場合（Ｓ５０３：ＮＯ）、制御部１１は、検索結果を受信するまで待機する。
【００９１】
検索結果を受信した場合（Ｓ５０３：ＹＥＳ）、制御部１１は、検索結果画面を表示部１８に表示させる（ステップＳ５０４）。例えば、ウェブ検索画面１７０のキーワード入力欄１７１に「コピー」及び「位置」の２語が入力され、ウェブ検索を実行した場合、制御部１１は、サーバ装置２０から受信した検索結果を基に、図１４に示すような検索結果画面１８０を表示部１８に表示させる。
【００９２】
次いで、制御部１１は、ヘルプ画面へ遷移させるか否かを判断する（ステップＳ５０５）。例えば、検索結果画面１８０においてリンク１８１ａ又は１８１ｂが選択操作された場合、制御部１１は、検索結果画面１８０からヘルプ画面へ遷移させると判断する。また、検索結果画面１８０において終了ボタン１８２が押下操作された場合、制御部１１は、ヘルプ画面へ遷移させないと判断する。
【００９３】
ヘルプ画面へ遷移させる場合（Ｓ５０５：ＹＥＳ）、制御部１１は、選択されたリンクに対応する画面情報をサーバ装置２０へ要求し、サーバ装置２０から送信されてくる画面情報を基に表示部１８への表示を行うことにより、ヘルプ画面を表示させる（ステップＳ５０６）。ヘルプ画面へ遷移させない場合（Ｓ５０５：ＮＯ）、制御部１１は、本フローチャートによる処理を終了する。
【００９４】
制御部１１は、表示中のヘルプ画面（又はヘルプ画面から呼び出される設定画面）において機能に対する設定操作を受付け（ステップＳ５０７）、設定対象の機能に関する調整値が確定したか否かを判断する（ステップＳ５０８）。
【００９５】
調整値が確定したと判断した場合（Ｓ５０８：ＹＥＳ）、制御部１１は、確定した調整値をサーバ装置２０に要求し、確定した調整値をサーバ装置２０から受信したか否かを判断する（ステップＳ５０９）。なお、調整値が確定しなかった場合には（Ｓ５０８：ＮＯ）、制御部１１は、処理をステップＳ５０１へ戻す。
【００９６】
調整値を受信していない場合（Ｓ５０９：ＮＯ）、制御部１１は、調整値を受信するまで待機する。
調整値を受信した場合（Ｓ５０９：ＹＥＳ）、制御部１１は、受信した調整値を設定対象の機能の現在の調整値として記憶部１２に記憶させることにより、当該機能に対する設定変更を行い（ステップＳ５１０）、本フローチャートによる処理を終了する。
【００９７】
以上のように、実施の形態５では、デジタル複合機１０が各機能の説明情報を有していない場合であっても、サーバ装置２０にアクセスして各機能の説明情報を取得し、ヘルプ画面の表示及び各機能に対する設定を実施することができる。
【００９８】
なお、実施の形態５では、操作部１７にて予め定められた操作を受付けた場合にウェブ検索画面１７０を表示し、ウェブ検索画面１７０にて受付けたキーワードを含む検索要求をサーバ装置２０へ送信する構成としたが、図２の機能検索画面１００において入力されたキーワードに対応する機能の説明情報が自装置の記憶部１２に存在しない場合に、当該キーワードを含む検索要求をサーバ装置２０へ送信する構成としてもよい。
【００９９】
（実施の形態６）
実施の形態１〜５では、本発明に係る電子機器をデジタル複合機１０に適用した形態について説明したが、適用例はデジタル複合機１０に限定されるものではない。
実施の形態６では、他の適用例として、携帯電話機に適用した形態について説明を行う。
【０１００】
図１６は実施の形態６に係る携帯電話機５０の内部構成を説明するブロック図である。本実施の形態に係る携帯電話機５０は、制御部５１、記憶部５２、操作部５３、表示部５４、通信部５５、通話部５６等を備え、図に示していない電話網を介して他の電話機と通話する通話機能、及びインターネット網などの通信網Ｎを介して外部装置と通信する通信機能を有する。また、携帯電話機５０は、記憶部５２に記憶されているメモアプリ、カレンダーアプリ等の各種アプリケーションプログラムにより実現されるメモ機能、カレンダー機能等の各種機能を有する。
【０１０１】
実施の形態１〜５で説明したデジタル複合機１０と同様に、携帯電話機５０の制御部５１は、操作部５３を通じて機能検索画面を呼び出すための所定の操作を受付けた場合、表示部５４に機能検索画面を表示させる。機能検索画面には、機能を検索するためのキーワードを入力する入力欄、検索処理を開始させる検索開始ボタン、特定の機能のヘルプ画面を呼び出すためのリンク等のＧＵＩ部品が配置され、操作部１７を用いて、機能検索画面に配置されたＧＵＩ部品に対する操作を受付けることにより、キーワードの入力、機能の検索要求、及び機能の選択を行えるように構成されている。
【０１０２】
機能検索画面から、機能の検索要求又は機能の選択を受付けた場合、制御部５１は、該当する機能のヘルプ画面を表示部５４に表示させる。ヘルプ画面には、検索又は選択された機能の説明情報を表示する表示欄、当該機能の設定画面へ遷移させるためのリンク（または当該機能に対する調整値を受付けるためのＧＵＩ部品）等が配置される。
【０１０３】
制御部５１は、ヘルプ画面に配置されたリンクから呼び出される設定画面（またはヘルプ画面内に配置されたＧＵＩ部品）を通じて、検索又は選択された機能に対する調整値を受付け、受付けた調整値を記憶部５２に記憶させることにより、当該機能に対する設定変更を行う。
【０１０４】
以上のように、実施の形態５では、各機能のヘルプ画面を通じて当該機能を制御するための設定を行うことができるので、各機能に対するヘルプ画面の表示から調整値の設定までを一連の操作により実行することができ、操作に不慣れな者であっても、機能のヘルプ画面を確認しながら、適切な設定を行うことが可能となる。
【０１０５】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【０１０６】
例えば、電子機器の一例としてデジタル複合機１０（実施の形態１〜５）及び携帯電話機５０（実施の形態６）について説明したが、コピー機能、プリンタ機能、スキャナ機能をそれぞれ単独で有するコピー装置、プリンタ装置、スキャナ装置、並びに、デジタルカメラ、ビデオカメラ、テレビジョン受信装置、タブレット端末等の複数の機能を有し、各機能についてのヘルプ画面を表示することができる各種電子機器に適用できることは勿論のことである。
【０１０７】
以上の実施の形態に関し、更に以下の付記を開示する。
【０１０８】
本願の電子機器は、複数の機能を有する電子機器において、前記複数の機能から一の機能の選択を受付ける選択部（１００，１７０）と、各機能の説明情報を記憶してある記憶部（１２，２１）にアクセスし、前記選択部（１００，１７０）にて選択された機能についての説明情報を前記記憶部（１２，２１）から取得する取得部（１１）と、該取得部（１１）が取得した説明情報を含む前記機能の説明画面（１１０，１３０，１５０）を表示する表示部（１８）と、該表示部（１８）に表示した説明画面（１１０，１３０，１４０）を通じて、前記機能に係る設定を受付ける受付部（１７）とを備えることを特徴とする。
【０１０９】
本願では、電子機器が備える複数の機能のうち、一の機能が選択された場合、当該機能の説明情報を取得して、表示部に機能の説明画面を表示させる。また、表示部に表示させた説明画面を通じて、機能に対する設定を受付ける。このような構成により、本願では、表示部に表示させた説明画面を通じて機能設定を行うことができ、操作に不慣れな者であっても、機能の説明画面を確認しながら、適切な設定を行うことが可能となる。
【０１１０】
本願の電子機器は、前記記憶部（１２）を内蔵してあることを特徴とする。
【０１１１】
本願では、電子機器は内蔵の記憶部から説明情報を取得して、説明画面を表示部に表示させることができる。
【０１１２】
本願の電子機器は、前記記憶部（２１）を備える外部機器（２０）を通信可能に接続する接続部（１９）を備え、前記取得部（１１）は、前記接続部（１９）に接続された前記外部機器（２０）との通信により、該外部機器（２０）が備える記憶部（２１）から前記機能についての説明情報を取得するようにしてあることを特徴とする。
【０１１３】
本願では、電子機器はサーバ装置などの外部装置から説明情報を取得して、説明画面を表示部に表示させることができる。
【０１１４】
本願の電子機器は、自機及び自機と通信可能に接続された外部機器（２０）の夫々が前記記憶部（１２，２１）を備えており、前記取得部（１１）は、自機が備える記憶部（１２）にアクセスして前記機能についての説明情報が得られなかった場合、前記外部機器（２０）が備える記憶部（２１）にアクセスし、該記憶部（２１）から前記説明情報を取得するようにしてあることを特徴とする。
【０１１５】
本願では、電子機器は内蔵の記憶部から説明情報を取得できなかった場合、サーバ装置などの外部装置から説明情報を取得して、説明画面を表示部に表示させることができる。
【０１１６】
本願の電子機器は、前記説明画面（１３０）は、前記設定を受付けるためのユーザインタフェース部品（１３２〜１３４）を含み、前記受付部（１７）は、前記表示部（１８）に表示される説明画面（１３０）内のユーザインタフェース部品（１３２〜１３４）を通じて、前記設定を受付けるようにしてあることを特徴とする。
【０１１７】
本願では、電子機器は説明画面内に配置されるユーザインタフェース部品に対するユーザの操作を受付けることにより、各機能に対する設定を受付ける。このような構成により、機能の説明情報が表示されている説明画面内で当該機能に対する設定を受付けることができる。
【０１１８】
本願の電子機器は、前記説明画面（１１０）は、前記設定を受付けるための設定画面（１２０）へ遷移させるリンク（１１２）を含み、前記受付部（１７）は、前記リンク（１１２）により指定される遷移先の設定画面（１２０）にて、前記設定を受付けるようにしてあることを特徴とする。
【０１１９】
本願では、電子機器は説明画面内に配置されるリンクを通じて設定画面を呼び出すことができ、選択した機能に対する説明画面の表示、及び機能の設定画面を呼び出す操作を一連の操作で実行することができる。
【０１２０】
本願の電子機器は、前記説明画面（１４０）を通じて受付けるべき設定と関連する設定項目を前記説明画面（１４０）に表示するようにしてあり、前記受付部（１７）は、前記機能に係る設定と共に、前記説明画面（１４０）に表示した設定項目についての設定を受付けるようにしてあることを特徴とする。
【０１２１】
本願では、設定対象の項目と関連する項目が存在する場合、機能の説明画面を通じて、両項目についての設定を受付けることができる。
【０１２２】
本願の電子機器は、前記受付部（１７）にて受付けた設定を反映させて前記機能を実行するようにしてあることを特徴とする。
【０１２３】
本願では、機能の説明画面を通じて受付けた設定を反映させて機能を実行することができる。
【０１２４】
本願の画像形成装置は、前述の電子機器と、画像データの入力を受付ける画像入力部（１３）と、該画像入力部（１３）が受付けた画像データに画像処理を施す画像処理部（１４）と、該画像処理部（１４）が画像処理を施した画像データに基づいてシート上に画像形成を行う画像形成部（１５）とを備え、前記画像処理又は前記画像形成に係る機能の設定を、前記電子機器が表示する説明画面（１１０，１３０，１４０）を通じて受付けるようにしてあることを特徴とする。
【０１２５】
本願では、画像形成装置が備える画像処理又は画像形成に係る複数の機能のうち、一の機能が選択された場合、当該機能の説明情報を取得して、表示部に機能の説明画面を表示させる。また、表示部に表示させた説明画面を通じて、機能に対する設定を受付ける。このような構成により、本願では、表示部に表示させた説明画面を通じて機能設定を行うことができ、操作に不慣れな者であっても、機能の説明画面を確認しながら、適切な設定を行うことが可能となる。
【符号の説明】
【０１２６】
１０  デジタル複合機
１１  制御部
１２  記憶部
１３  原稿読取部
１４  画像処理部
１５  画像形成部
１６  後処理部
１７  操作部
１８  表示部
１９  通信部
２０  サーバ装置
【図１】
2016148924.tif 000003
【図２】
2016148924.tif 000004
【図３】
2016148924.tif 000005
【図４】
2016148924.tif 000006
【図５】
2016148924.tif 000007
【図６】
2016148924.tif 000008
【図７】
2016148924.tif 000009
【図８】
2016148924.tif 000010
【図９】
2016148924.tif 000011
【図１０】
2016148924.tif 000012
【図１１】
2016148924.tif 000013
【図１２】
2016148924.tif 000014
【図１３】
2016148924.tif 000015
【図１４】
2016148924.tif 000016
【図１５】
2016148924.tif 000017
【図１６】
2016148924.tif 000018